(57)【要約】【課題】２軸回転式の携帯電話機の状態に応じて、携帯電話機の筐体サイズを好適にコンパクトにすることができるようにする。【解決手段】本発明の携帯電話機においては、第１の筐体１２と第２の筐体１３とがヒンジ部１１を介して第１の筐体１２と第２の筐体１３とが開閉動作する開閉機構と、ヒンジ部１１に突接されて第２の筐体１２を回動自在に支持する捻回中心軸回りに、第２の筐体１２が回転する回転機構とを備え、第１の筐体１２の一方の面と第２の筐体１３の一方の面とが重なり合うように閉じられた状態のとき、第１の筐体１２と第２の筐体１３との隙間が第１の距離となるように設けられる一方、第１の筐体１２の一方の面と第２の筐体１３の他方の面とが重なり合うように閉じられた状態のとき、第１の筐体１２と第２の筐体１３との隙間が第１の距離とは異なる第２の距離となるように設けられる。【選択図】  図５
2009088900.tif 000002
【特許請求の範囲】
【請求項１】
第１の筐体と第２の筐体とがヒンジ部を介してヒンジ結合され、このヒンジ部を介して前記第１の筐体と前記第２の筐体とが開閉動作する開閉機構と、ヒンジ部に突接されて前記第２の筐体を回動自在に支持する捻回中心軸回りに、前記第２の筐体が回転する回転機構とを備え、前記第１の筐体の一方の面と前記第２の筐体の一方の面とが重なり合うように閉じられた状態のとき、前記第１の筐体と前記第２の筐体との隙間が第１の距離となるように設けられる一方、前記第１の筐体の他方の面と前記第２の筐体の他方の面とが重なり合うように閉じられた状態のとき、前記第１の筐体と前記第２の筐体との隙間が前記第１の距離とは異なる第２の距離となるように設けられることを特徴とする情報処理装置。
【請求項２】
前記第１の距離は、前記第２の距離よりも小さいことを特徴とする請求項１に記載の情報処理装置。
【請求項３】
前記第１の筐体の一方の面と前記第２の筐体の一方の面とが重なり合うように閉じられた状態のときに、前記第１の筐体と前記第２の筐体との隙間が第１の距離となるように設けられる際、前記第２の筐体の面の中心軸が、前記捻回中心軸に対して、前記第２の筐体を前記第１の筐体に近接する方向に前記第１の距離ずれることを特徴とする請求項１に記載の情報処理装置。
【請求項４】
前記第１の筐体の他方の面と前記第２の筐体の他方の面とが重なり合うように閉じられた状態のときに、前記第１の筐体と前記第２の筐体との隙間が第２の距離となるように設けられる際、前記第２の筐体の面の中心軸が、前記捻回中心軸に対して、前記第２の筐体を前記第１の筐体から離れる方向に前記第２の距離ずれることを特徴とする請求項１に記載の情報処理装置。
【請求項５】
前記第２の筐体にはスピーカが設けられ、前記第１の筐体の一方の面と前記第２の筐体の一方の面とが重なり合うように閉じられた状態のときに、前記スピーカの放音方向は前記第１の筐体側の向きと反対向きとなるとともに、前記第１の筐体の他方の面と前記第２の筐体の他方の面とが重なり合うように閉じられた状態のときに、前記スピーカの放音方向は前記第１の筐体側の向きとなることを特徴とする請求項１に記載の情報処理装置。
【請求項６】
前記第１の筐体には、前記第１の筐体の一方または他方の面と前記第２の筐体の一方または他方の面とが重なり合うように閉じられた状態のときに両筐体間の隙間を保持するための当接部材がさらに設けられ、
前記第２の筐体には、前記第１の筐体の一方または他方の面と前記第２の筐体の一方または他方の面とが重なり合うように閉じられた状態のときに、前記当接部材と対向して当接する凹部がさらに設けられることを特徴とする請求項１に記載の情報処理装置。
【発明の詳細な説明】
【技術分野】
【０００１】
本発明は情報処理装置に係り、特に、２軸回転式の構造を備える情報処理装置に関する。
【背景技術】
【０００２】
近年、種々のスタイルの携帯電話機が提案されており、例えばスライド式の構造を有する携帯電話機、ストレート式の携帯電話機や、フリッパ式の携帯電話機、折り畳み式の携帯電話機などが提案されている。特に、折り畳み式の携帯電話機は、例えば液晶ディスプレイを有する上筐体と、操作キーなどを有する本体側の下筐体とがヒンジ部を介して開閉することが可能な開閉機構が設けられた携帯電話機であるが、この折り畳み式の携帯電話機の中には、上筐体を捻回中心軸回りに約１８０度回転することが可能な２軸回転式の携帯電話機も提案されている（例えば特許文献１参照）。
【特許文献１】特開２００６−５８６３号公報
【発明の開示】
【発明が解決しようとする課題】
【０００３】
２軸回転式の携帯電話機の場合、液晶ディスプレイを有する上筐体が下筐体の上になるように上筐体と下筐体とを閉じた状態と、上筐体を捻回中心軸回りに約１８０度回転された後に上筐体と下筐体とを閉じた状態のいずれの状態においても、携帯電話機の筐体サイズがコンパクトに収まるように、上筐体の面の中心軸と、上筐体を回転させる際の捻回中心軸と一致させていた。
【０００４】
ここで、上述した携帯電話機のいずれの状態においても上筐体と下筐体との隙間を一定に保つようにするには、筐体の厚みのバラツキを予め管理しておく必要がある。具体的には、部品の製造過程や組み立て時にて上筐体のメインディスプレイ側と背面側には、それぞれ筐体の厚みのバラツキが生じることから、いずれの状態においても厚み方向に膨らみすぎたりすることで適切に閉じられなくなることがある。例えば上筐体が製造過程にて多少なりとも厚くなることにより下筐体に接触して適切に閉じることができなくなる場合が考えられる。そこで、筐体の厚みのバラツキを予め管理しておく必要があるが、いずれの状態においても上筐体と下筐体との隙間を一定に保つようにするためには、上筐体と下筐体との隙間を多めにとっておく必要がある。
【０００５】
しかしながら、上筐体と下筐体との間に余分な隙間が存在することによって携帯電話機の筐体サイズは大きくなってしまい、携帯電話機の筐体サイズをコンパクトにするには限界があった。
【０００６】
本発明は、このような状況に鑑みてなされたものであり、２軸回転式の携帯電話機の状態に応じて、携帯電話機の筐体サイズを好適にコンパクトにすることができる情報処理装置を提供することを目的とする。
【課題を解決するための手段】
【０００７】
本発明の情報処理装置は、上述した課題を解決するために、第１の筐体と第２の筐体とがヒンジ部を介してヒンジ結合され、このヒンジ部を介して第１の筐体と第２の筐体とが開閉動作する開閉機構と、ヒンジ部に突接されて第２の筐体を回動自在に支持する捻回中心軸回りに、第２の筐体が回転する回転機構とを備え、第１の筐体の一方の面と第２の筐体の一方の面とが重なり合うように閉じられた状態のとき、第１の筐体と第２の筐体との隙間が第１の距離となるように設けられる一方、第１の筐体の他方の面と第２の筐体の他方の面とが重なり合うように閉じられた状態のとき、第１の筐体と第２の筐体との隙間が第１の距離とは異なる第２の距離となるように設けられることを特徴とする。
【発明の効果】
【０００８】
本発明によれば、２軸回転式の携帯電話機の状態に応じて、携帯電話機の筐体サイズを好適にコンパクトにすることができる。
【発明を実施するための最良の形態】
【０００９】
以下、本発明の実施の形態について、図面を参照しながら説明する。
【００１０】
図１は、本発明に係る情報処理装置として適用可能な携帯電話機１の外観の構成を表している。なお、図１（Ａ）は、携帯電話機１を約１８０度に見開いたときの正面から見た外観の構成を表しており、図１（Ｂ）は、携帯電話機１を見開いたときの側面から見た外観の構成を表している。また、携帯電話機１を約１８０度に開いたときの状態（いわゆるオープンスタイル）を「第１の状態」という。
【００１１】
図１（Ａ）および（Ｂ）に示されるように、携帯電話機１は、中央のヒンジ部１１を境に第１の筐体１２と第２の筐体１３とがヒンジ結合されており、ヒンジ部１１を介して矢印Ｘ方向に折り畳み可能に形成される。携帯電話機１の内部の所定の位置には、送受信用のアンテナが設けられており、内蔵されたアンテナを介して基地局（図示せず）との間で電波を送受信する。
【００１２】
第１の筐体１２には、その表面に「０」乃至「９」の数字キー、発呼キー、リダイヤルキー、終話・電源キー、クリアキー、および電子メールキーなどの操作キー１４が設けられており、操作キー１４を用いて各種指示を入力することができる。
【００１３】
第１の筐体１２には、操作キー１４として上部に十字キーと確定キーが設けられており、ユーザが十字キーを上下左右方向に操作することにより当てられたカーソルを上下左右方向に移動させることができる。具体的には、第２の筐体１３に設けられたメインディスプレイ１７に表示されている電話帳リストや電子メールのスクロール動作、簡易ホームページのページ捲り動作および画像の送り動作などの種々の動作を実行する。
【００１４】
また、確定キーを押下することにより、種々の機能を確定することができる。例えば第１の筐体１２は、ユーザによる十字キーの操作に応じてメインディスプレイ１７（液晶ディスプレイ）に表示された電話帳リストの複数の電話番号の中から所望の電話番号が選択され、確定キーが第１の筐体１２の内部方向に押圧されると、選択された電話番号を確定して電話番号に対して発呼処理を行う。
【００１５】
さらに、第１の筐体１２には、十字キーと確定キーの左隣に電子メールキーが設けられており、電子メールキーが第１の筐体１２の内部方向に押圧されると、メールの送受信機能を呼び出すことができる。十字キーと確定キーの右隣には、ブラウザキーが設けられており、ブラウザキーが第１の筐体１２の内部方向に押圧されると、Ｗｅｂページのデータを閲覧することが可能となる。
【００１６】
また、第１の筐体１２には、操作キー１４の下部にマイクロフォン１５が設けられており、マイクロフォン１５によって通話時のユーザの音声を集音する。また、第１の筐体１２には、携帯電話機１の操作を行うサイドキー１６が設けられている。
【００１７】
なお、第１の筐体１２は、背面側に図示しないバッテリパックが挿着されており、終話・電源キーがオン状態になると、バッテリパックから各回路部に対して電力が供給されて動作可能な状態に起動する。
【００１８】
一方、第２の筐体１３には、その正面にメインディスプレイ１７が設けられており、電波の受信状態、電池残量、電話帳として登録されている相手先名や電話番号及び送信履歴等の他、電子メールの内容、簡易ホームページ、ＣＣＤ（Charge Coupled Device）カメラ（後述する図２のＣＣＤカメラ２０）で撮像した画像、外部のコンテンツサーバ（図示せず）より受信したコンテンツ、メモリカードに記憶されているコンテンツを表示することができる。また、メインディスプレイ１７の上部の所定の位置にはスピーカ１８が設けられており、これにより、ユーザは音声通話することが可能である。
【００１９】
また、第１の筐体１２と第２の筐体１３の内部の所定の位置には、携帯電話機１の状態を検知するための磁気センサ１９a、１９b、１９c、および１９dが設けられる。さらに、第１の筐体１２の所定の位置（例えばマイクロフォン１５の基部側の位置など）には、第１の筐体１２と第２の筐体１３を閉じたときに両筐体間の隙間を保持するためのクリアランスキーパ（当接部材）Ｐが設けられるとともに、第２の筐体１３の所定の位置（例えばスピーカ１８の端部側の位置など）には、第１の筐体１２と第２の筐体１３を閉じたときにクリアランスキーパＰと対向して当接する退避凹部Ｑが設けられている。なお、このクリアランスキーパＰと退避凹部Ｑに関する技術に関しては、本出願人による特許出願２００６−１３４５４７号に記載されている。
【００２０】
図２は、本発明に係る情報処理装置として適用可能な携帯電話機１の他の外観の構成を表している。図２の携帯電話機１の状態は、図１の携帯電話機１の状態から矢印Ｘ方向に回動させた状態である。なお、図２（Ａ）は、携帯電話機１を閉じたときの正面から見た外観の構成を表しており、図２（Ｂ）は、携帯電話機１を閉じたときの側面から見た外観の構成を表している。また、図２の携帯電話機１の状態を「第２の状態」という。
【００２１】
第２の筐体１３の上部には、ＣＣＤカメラ２０が設けられており、これにより、所望の撮影対象を撮像することができる。ＣＣＤカメラ２０の下部には、サブディスプレイ２１が設けられており、現在のアンテナの感度のレベルを示すアンテナピクト、携帯電話機１の現在の電池残量を示す電池ピクト、現在の時刻などが表示される。
【００２２】
サブディスプレイ２１の下部には、さらに、静電タッチパッド２２が設けられる。静電タッチパッド２２は、見かけ上一枚のタッチパッドになっているが、図示せぬセンサが複数個所に設けられており、ユーザがセンサの付近をタッチすると、センサがそれを検知し、巻戻し機能、早送り機能、音量ダウン動作、音量アップ動作、再生動作、および一時停止動作などが実行される。
【００２３】
図３は、本発明に係る情報処理装置として適用可能な携帯電話機１の他の外観の構成を表している。図３の携帯電話機１の状態は、図１の携帯電話機１の状態から矢印Ｙ方向に９０度首振り回動させた状態である。図３の携帯電話機１の状態を「第３の状態」という。なお、図３（Ａ）は、携帯電話機１を第３の状態にしたときの正面から見た外観の構成を表しており、図３（Ｂ）は、携帯電話機１を第３の状態にしたときの側面から見た外観の構成を表している。
【００２４】
図４は、本発明に係る情報処理装置として適用可能な携帯電話機１の他の外観の構成を表している。図４の携帯電話機１の状態は、図３の携帯電話機１の状態から矢印Ｙ方向に約１８０度首振り回動させたのち矢印Ｘ方向に回動させ、メインディスプレイ１７が外向きになる状態で第１の筐体１２と第２の筐体１３を重ね合わせた状態である。図４の携帯電話機１の状態（いわゆるターンオーバースタイル）を「第４の状態」という。なお、図４（Ａ）は、携帯電話機１を第４の状態にしたときの正面から見た外観の構成を表しており、図４（Ｂ）は、携帯電話機１を第４の状態にしたときの側面から見た外観の構成を表している。なお、図１乃至図４に示されるように、直交する２軸廻りに回転することが可能な携帯電話機１は、「２軸回転式の携帯電話機」と呼ばれる。
【００２５】
ところで、２軸回転式の携帯電話機１の場合、例えば図５（Ａ）および（Ｂ）に示されるように、メインディスプレイ１７を有する第２の筐体１３が第１の筐体１２の上になるように第１の筐体と第２の筐体とを閉じた状態（図２（Ａ）および（Ｂ）に示される第２の状態）と、第２の筐体１３を捻回中心軸回り（図３の矢印Ｙ方向回り）に約１８０度回転された後に第１の筐体１２と第２の筐体１３とを閉じた状態（図４（Ａ）および（Ｂ）に示される第４の状態（いわゆるターンオーバースタイル））のいずれの状態においても、携帯電話機１の筐体サイズがコンパクトに収まるように、第２の筐体１３の面の中心軸と、第２の筐体１３を回転させる際の捻回中心軸と一致させていた。
【００２６】
なお、図５（Ａ）は、図２（Ａ）のＭ−Ｍ´線上における従来の携帯電話機１の概略的な断面図であり、図５（Ｂ）は、図４（Ａ）のＮ−Ｎ´線上における従来の携帯電話機１の概略的な断面図である。また、図５（Ａ）および（Ｂ）の場合、第２の筐体１３のうち、ヒンジ部１１との間のヒンジ結合付近を肉厚部２３として構成するようにしているが、これは、第１の筐体１２と第２の筐体１３とがヒンジ部１１を介してヒンジ結合されていることを強調していることを示している。
【００２７】
ここで、上述した携帯電話機１のいずれの状態（第２の状態と第４の状態）においても第１の筐体１２と第２の筐体１３との隙間を一定に保つようにするには、筐体の厚みのバラツキを予め管理しておく必要がある。具体的には、部品の製造過程や組み立て時にて第２の筐体のメインディスプレイ側とその背面側には、それぞれ筐体の厚みのバラツキが生じることから、いずれの状態（第２の状態と第４の状態）においても厚み方向に膨らみすぎたりすることで適切に閉じられなくなることがある。例えば第２の筐体１３が製造過程にて多少なりとも厚くなることにより第１の筐体１２に接触して適切に閉じることができなくなる場合が考えられる。そこで、筐体の厚みのバラツキを予め管理しておく必要があるが、いずれの状態（第２の状態と第４の状態）においても第１の筐体１２と第２の筐体１３との隙間を一定に保つようにするためには、第１の筐体１２と第２の筐体１３との隙間を多めにとっておく必要がある。
【００２８】
しかしながら、第１の筐体と第２の筐体１３との間に余分な隙間が存在することによって携帯電話機１の筐体サイズは大きくなってしまい、携帯電話機１の筐体サイズをコンパクトにするには限界があった。
【００２９】
そこで、メインディスプレイ１７を有する第２の筐体１３が第１の筐体１２の上になるように第１の筐体と第２の筐体とを閉じた状態（第２の状態）において、第２の筐体１３の面の中心軸を、第２の筐体１３を回転させる際の捻回中心軸に対して、第１の筐体１２に近づける方向に所定の量（例えば０．１５ｍｍ乃至０．２０ｍｍなど）ずらすようにする。これにより、第２の状態により示される閉じた状態においては、第１の筐体１２と第２の筐体１３との間の隙間はこれまでよりも所定の量だけ狭くなる一方、第２の筐体１３を捻回中心軸回り（図３の矢印Ｙ方向回り）に約１８０度回転された後に第１の筐体１２と第２の筐体１３とを閉じた状態（第４の状態）においては、第１の筐体１２と第２の筐体１３との位置関係が相対的にずれて、第１の筐体１２と第２の筐体１３との間の隙間はこれまでよりも所定の量だけ広くなる。その結果、両筐体間の隙間が所定の量だけ広くなる第４の状態においては、厚み方向に膨らみすぎたりすることで適切に閉じられなくなることはほぼ防止することが可能となり、部品の製造過程や組み立て時にて生じる厚みのバラツキに関しては、第２の筐体のメインディスプレイ側に対する背面側のみ考慮すればよくなり、携帯電話機１の筐体のバラツキの影響を受けにくい構造とすることが可能となる。
【００３０】
勿論、第４の状態において、第２の筐体１３の面の中心軸を、第２の筐体１３を回転させる際の捻回中心軸に対して、第１の筐体１２に近づける方向に所定の量ずらすようにしたとしても、同様に、携帯電話機１の筐体のバラツキの影響を受けにくい構造とすることが可能となるが、上述したように第２の状態にて第２の筐体１３の面の中心軸を第１の筐体１２に近づける方向に所定の量ずらすようにすることで、次のような効果を享受することも可能となる。すなわち、第２の筐体１３にスピーカ１８を設ける場合、第２の状態のときにはスピーカ１８は外向きとなるとともに、第４の状態のときにはスピーカ１８は内向きとなるが、第４の状態においては、第１の筐体１２と第２の筐体１３との位置関係が相対的にずれて、第１の筐体１２と第２の筐体１３との間の隙間はこれまでよりも所定の量だけ広くなることから、従来比べて、スピーカ１５からの放音がしやすい環境となり、スピーカ１５に関して音響的に有利な構造とすることが可能となる。以下、この構造を用いた本発明の実施形態について詳述する。
【００３１】
図５（Ｃ）は、本発明に係る構造を用いた携帯電話機１での、図２（Ａ）のＭ−Ｍ´線上における携帯電話機１の概略的な断面図であり、図５（Ｄ）は、本発明に係る構造を用いた携帯電話機１での、図４（Ａ）のＮ−Ｎ´線上における携帯電話機１の概略的な断面図である。
【００３２】
図５（Ｃ）に示されるように、第２の状態のときには、第２の筐体１３の面の中心軸を、第２の筐体１３を回転させる際の捻回中心軸に対して、第１の筐体１２に近づける方向に所定の量（例えば０．１５ｍｍ乃至０．２０ｍｍなど）ずらすようにする。これにより、従来における第１の筐体１２と第２の筐体１３との隙間（例えば０．６ｍｍなど）に比べて、第１の筐体１２に近づける方向にずらした所定の量（例えば０．１５ｍｍ乃至０．２０ｍｍなど）だけ、第１の筐体１２と第２の筐体１３との間の隙間はこれまでよりも所定の量だけ狭くすることができる。すなわち、第１の筐体１２と第２の筐体１３との隙間が従来０．６ｍｍであると、本発明の構造にすることで０．４０ｍｍ乃至０．４５ｍにすることができる。なお、この場合、第１の筐体１２に設けられたクリアランスキーパＰに対応する位置に、第２の筐体１３に退避凹部Ｑを設けることにより、第２の筐体１３の面の中心軸を、第２の筐体１３を回転させる際の捻回中心軸に対して、第１の筐体１２に近づける方向に所定の量ずらすことが可能となる。このとき、第２の状態においては、第１の筐体１２に設けられたクリアランスキーパＰと、第２の筐体１３に設けられた退避凹部Ｑとの嵌め合いによって、第１の筐体１２と第２の筐体１３との当接時における衝撃を緩和するとともに、第２の筐体１３の厚み方向への広がりを抑制し、第２の状態に示される閉じた状態になったときに携帯電話機１の筐体サイズをよりコンパクトにすることができる。勿論、クリアランスキーパＰと退避凹部Ｑとが設けられる筐体を逆にし、凹凸関係を反対にして、第２の筐体１３にクリアランスキーパＰを設けるとともに、第１の筐体１２に退避凹部Ｑを設けるようにしてもよい。
【００３３】
一方、第４の状態のときには、第２の筐体１３の捻回転によって第１の筐体１２と第２の筐体１３との位置関係が相対的にずれて、従来における第１の筐体１２と第２の筐体１３との隙間（例えば０．６ｍｍなど）に比べ、第１の筐体１２に近づける方向にずらした所定の量（例えば０．１５ｍｍ乃至０．２０ｍｍなど）だけ、第１の筐体１２と第２の筐体１３との間の隙間はこれまでよりも所定の量だけ広くすることができる。すなわち、第１の筐体１２と第２の筐体１３との隙間が従来０．６ｍｍであると、本発明の構造にすることで０．７５ｍｍ乃至０．８０ｍにすることができる。このとき、第２の状態においては、第１の筐体１２に設けられたクリアランスキーパＰが、第２の筐体１３のメインディスプレイ側に対する背面側の所定の位置に当接される。
【００３４】
なお、第２の筐体１３の面の中心軸をずらす所定の量は適宜変更するようにしてもよい。
【００３５】
これにより、両筐体間の隙間が所定の量だけ広くなる第４の状態においては、厚み方向に膨らみすぎたりすることで適切に閉じられなくなることはほぼ防止することが可能となり、部品の製造過程や組み立て時にて生じる厚みのバラツキに関しては、第２の筐体のメインディスプレイ側に対する背面側のみ考慮すればよくなり、携帯電話機１の筐体のバラツキの影響を受けにくい構造とすることができる。そして、第２の状態においては、携帯電話機１の筐体サイズをよりコンパクトにすることができ、ユーザが通常使用する状態で、携帯電話機１の筐体サイズをよりコンパクトにすることが可能となる。その結果、ユーザにとって携帯電話機１の使い勝手が良くなる。
【００３６】
一方、第４の状態においては、従来比べて、スピーカ１５からの放音がしやすい環境となり、スピーカ１５に関して音響的に有利な構造とすることが可能となる。その結果、ユーザは、例えば音楽再生機能を用いて携帯電話機１から好みの音楽を聴く際に、より良い音質で音楽を聴くことができる。
【００３７】
以上により、２軸回転式の携帯電話機の状態に応じて、携帯電話機の筐体サイズを好適にコンパクトにすることができ、携帯電話機１の利用性を向上させることができる。
【００３８】
なお、本発明は、携帯電話機１以外にも、ＰＤＡ（Personal Digital Assistant）、パーソナルコンピュータ、携帯型ゲーム機、携帯型音楽再生機、携帯型動画再生機、その他の情報処理情報処理装置にも適用することができる。
【図面の簡単な説明】
【００３９】
【図１】本発明に係る情報処理装置として適用可能な携帯電話機を約１８０度に見開いたときの正面と側面から見た外観の構成を示す図。
【図２】本発明に係る情報処理装置として適用可能な携帯電話機を閉じたときの正面と側面から見た外観の構成を示す図。
【図３】本発明に係る情報処理装置として適用可能な携帯電話機の他の外観の構成を示す図。
【図４】本発明に係る情報処理装置として適用可能な携帯電話機の他の外観の構成を示す図。
【図５】（Ａ）は、図２（Ａ）のＭ−Ｍ´線上における従来の携帯電話機の概略的な断面図、（Ｂ）は、図４（Ａ）のＮ−Ｎ´線上における従来の携帯電話機１の概略的な断面図、（Ｃ）は、本発明に係る構造を用いた携帯電話機での、図２（Ａ）のＭ−Ｍ´線上における携帯電話機の概略的な断面図、（Ｄ）は、本発明に係る構造を用いた携帯電話機での、図４（Ａ）のＮ−Ｎ´線上における携帯電話機１の概略的な断面図。
【符号の説明】
【００４０】
１…携帯電話機、１１…ヒンジ、１２…第１の筐体、１３…第２の筐体、１４…操作キー、１５…マイクロフォン、１６…サイドキー、１７…メインディスプレイ、１８…スピーカ、１９a乃至１９d…磁気センサ、２０…ＣＣＤカメラ、２１…サブディスプレイ、２２…静電タッチパッド、２３…肉厚部、Ｐ…クリアランスキーパ、Ｑ…退避凹部。
【図１】
2009088900.tif 000003
【図２】
2009088900.tif 000004
【図３】
2009088900.tif 000005
【図４】
2009088900.tif 000006
【図５】
2009088900.tif 000007
【手続補正書】
【提出日】平成20年9月25日(2008.9.25)
【手続補正１】
【補正対象書類名】特許請求の範囲
【補正対象項目名】全文
【補正方法】変更
【補正の内容】
【特許請求の範囲】
【請求項１】
第１の筐体と第２の筐体とがヒンジ部を介してヒンジ結合され、このヒンジ部を介して前記第１の筐体と前記第２の筐体とが開閉動作する開閉機構と、ヒンジ部に突接されて前記第２の筐体を回動自在に支持する捻回中心軸回りに、前記第２の筐体が回転する回転機構とを備え、前記第１の筐体の一方の面と前記第２の筐体の一方の面とが重なり合うように閉じられた状態のとき、前記第１の筐体と前記第２の筐体との隙間が第１の距離となるように設けられる一方、前記第１の筐体の一方の面と前記第２の筐体の他方の面とが重なり合うように閉じられた状態のとき、前記第１の筐体と前記第２の筐体との隙間が前記第１の距離とは異なる第２の距離となるように設けられることを特徴とする情報処理装置。
【請求項２】
前記第１の距離は、前記第２の距離よりも小さいことを特徴とする請求項１に記載の情報処理装置。
【請求項３】
前記第１の筐体の一方の面と前記第２の筐体の一方の面とが重なり合うように閉じられた状態のときに、前記第１の筐体と前記第２の筐体との隙間が第１の距離となるように設けられる際、前記第２の筐体の面の中心軸が、前記捻回中心軸に対して、前記第２の筐体を前記第１の筐体に近接する方向に前記第１の距離ずれることを特徴とする請求項１に記載の情報処理装置。
【請求項４】
前記第１の筐体の一方の面と前記第２の筐体の他方の面とが重なり合うように閉じられた状態のときに、前記第１の筐体と前記第２の筐体との隙間が第２の距離となるように設けられる際、前記第２の筐体の面の中心軸が、前記捻回中心軸に対して、前記第２の筐体を前記第１の筐体から離れる方向に前記第２の距離ずれることを特徴とする請求項１に記載の情報処理装置。
【請求項５】
前記第２の筐体にはスピーカが設けられ、前記第１の筐体の一方の面と前記第２の筐体の一方の面とが重なり合うように閉じられた状態のときに、前記スピーカの放音方向は前記第１の筐体側の向きと反対向きとなるとともに、前記第１の筐体の一方の面と前記第２の筐体の他方の面とが重なり合うように閉じられた状態のときに、前記スピーカの放音方向は前記第１の筐体側の向きとなることを特徴とする請求項１に記載の情報処理装置。
【請求項６】
前記第１の筐体には、前記第１の筐体の一方の面と前記第２の筐体の一方または他方の面とが重なり合うように閉じられた状態のときに両筐体間の隙間を保持するための当接部材がさらに設けられ、
前記第２の筐体には、前記第１の筐体の一方の面と前記第２の筐体の一方または他方の面とが重なり合うように閉じられた状態のときに、前記当接部材と対向して当接する凹部がさらに設けられることを特徴とする請求項１に記載の情報処理装置。
【手続補正２】
【補正対象書類名】明細書
【補正対象項目名】０００７
【補正方法】変更
【補正の内容】
【０００７】
本発明の情報処理装置は、上述した課題を解決するために、第１の筐体と第２の筐体とがヒンジ部を介してヒンジ結合され、このヒンジ部を介して第１の筐体と第２の筐体とが開閉動作する開閉機構と、ヒンジ部に突接されて第２の筐体を回動自在に支持する捻回中心軸回りに、第２の筐体が回転する回転機構とを備え、第１の筐体の一方の面と第２の筐体の一方の面とが重なり合うように閉じられた状態のとき、第１の筐体と第２の筐体との隙間が第１の距離となるように設けられる一方、第１の筐体の一方の面と第２の筐体の他方の面とが重なり合うように閉じられた状態のとき、第１の筐体と第２の筐体との隙間が第１の距離とは異なる第２の距離となるように設けられることを特徴とする。